(57)【要約】【課題】本発明は、極めて簡単な構成で得ることができると共に、携帯に便利で、加水することなく容易に使用できるジェル状歯磨き剤付き歯ブラシを提供することである。【解決手段】ジェル状歯磨き剤付き歯ブラシ１は、柄部３とこの柄部端３に設けられたブラシ部４とからなる歯ブラシ本体２であって、この歯ブラシ本体２のブラシ部４に所定量のジェル状歯磨き剤５が付着されると共に、このブラシ部４と接触しない状態で包囲するように剛性キャップ６が装着され、さらに歯ブラシ本体２の周囲がバリア性フィルムの包袋７により密封包装されてなることを特徴とする。【選択図】図１
2005118191.tif 000002
【特許請求の範囲】
【請求項１】
柄部とこの柄部端に設けられたブラシ部とからなる歯ブラシ本体であって、この歯ブラシ本体の前記ブラシ部に所定量のジェル状歯磨き剤が付着されると共に、このブラシ部に接触しない状態で包囲するように剛性キャップが装着され、さらにこの歯ブラシ本体の周囲がバリア性フィルムの包袋により密封包装されてなることを特徴とするジェル状歯磨き剤付き歯ブラシ。
【請求項２】
前記剛性キャップの内部に複数の係止突部を前記柄部の頭部の厚さに対応する間隔で並列的に設けられてなり、この剛性キャップの開口部から挿入した前記柄部の頭部を前記係止突部により係止できるようにした請求項１に記載されたジェル状歯磨き剤付き歯ブラシ。
【請求項３】
装着された前記剛性キャップを含む前記柄部の部分を樹脂フィルムにより封止してなる請求項１又は２に記載されたジェル状歯磨き剤付き歯ブラシ。
【発明の詳細な説明】
【技術分野】
【０００１】
本発明は、ブラシ部にジェル状歯磨き剤を予め付着したジェル状歯磨き剤付き歯ブラシに関するものである。
【背景技術】
【０００２】
歯ブラシに歯磨き剤がそのブラシ部に予め付着されていると、歯磨き剤充填チューブを伴う必要がなく、また歯ブラシとして即座に利用することができるので便利である。このような利便性を考慮して、従来、歯磨き剤を予め付着された歯磨き剤付き歯ブラシが販売されている。
【０００３】
従来の歯ブラシに付着する歯磨き剤としては、粉状のものであるのが一般的である。すなわち、歯ブラシは柄部とこの柄部のブラシ部とで形成されており、前記ブラシ部に歯磨き剤が予め付着されている。この付着された歯磨き剤が粉状であれば、付着後の歯磨き剤が流動して柔軟質の包袋やケース等に転移したり、乾燥することにより変質化したりすることが少なく、しかも良好な状態で塗布できるからである。
【０００４】
しかし、歯ブラシが予め粉状歯磨き剤を付着して構成されていると、粉状歯磨き剤自体が乾燥質であるため、使用の際には、歯磨き剤の塗布部分に必ず加水が必要となる。粉状歯磨き剤に対する加水操作は、歯磨き操作が出勤時等の短時間以内で速やかに行われることを考慮すると、その操作は非常に面倒である。このため、歯ブラシに塗布すべき歯磨き剤としては、加水操作がなくても即座に使用できるジェル状やクリーム状の歯磨き剤であることが望まれている。
【０００５】
ところが、ジェル状やクリーム状の歯磨き剤は、歯ブラシのブラシ部に予め付着されていると、大気に晒される機会が多くなるので、乾燥したり変質化するおそれが大きくなる。しかも流動性があるため、ブラシ部から必要な量の歯磨き剤が柔軟質の包袋等で包装されていると、その包袋等の内面に移動してしまうので、これでは所定量の歯磨き剤をブラシ部に保持させるのが困難である。
【０００６】
このため、従来は、特許文献１や特許文献２に開示されるように、歯ブラシの柄部内にジェル状あるいはクリーム状歯磨き剤を充填した構成、あるいはジェル状あるいはクリーム状歯磨き剤を充填したチューブを歯ブラシの柄部部分に内装した構成が採用されている。また、これらの歯ブラシでは、歯ブラシとして使用する際に、柄部に特別に設けられた爪等を操作することにより、充填されているジェルあるいはクリームをチューブから絞り出して柄部の導孔を介してブラシ部に付着される。
【特許文献１】実開昭５８−５８３０号公報
【特許文献２】実開昭６３−２０２３２７号公報
【発明の開示】
【発明が解決しようとする課題】
【０００７】
しかしながら、前記した従来のジェル状あるいはクリーム状磨き剤付きの歯ブラシでは、使用の際に、歯ブラシの柄部分にジェルあるいはクリームを充填あるいはこれを充填したジェルあるいはクリームを絞り出す操作等の転移操作が必要となる。このような絞り出し等の転移操作は、面倒であり、歯ブラシを迅速に使用する上で障害となる。
【０００８】
さらに、ジェル状あるいはクリーム状歯磨き剤をチューブ内に充填し、あるいは充填したチューブを歯ブラシの柄部に内装しておくこと。また、柄の頭部に誘導孔を設けると共に、この充填したジェル状あるいはクリーム状歯磨き剤を絞り出す機能部を歯ブラシの柄部等に特別に設けておくことが必要となるので、歯ブラシの全体構成が非常に複雑である。
【０００９】
そこで、本発明は、極めて簡単な構成で得ることができると共に、携帯に便利で、加水することなく容易に使用できるジェル状歯磨き剤付き歯ブラシを提供することを目的とした。
【課題を解決するための手段】
【００１０】
上記の目的を達成するため、本発明のジェル状歯磨き剤付き歯ブラシは、柄部とこの柄部端に設けられたブラシ部とからなる歯ブラシ本体であって、この歯ブラシ本体の前記ブラシ部に所定量のジェル状歯磨き剤が付着されると共に、このブラシ部に接触しない状態で包囲するように剛性キャップが装着され、さらにこの歯ブラシ本体の周囲がバリア性フィルムの包袋により密封包装されてなることを特徴とする。
【００１１】
上記した本発明のジェル状歯磨き剤付き歯ブラシは、前記剛性キャップの内部に複数の係止突部が前記歯ブラシの柄の頭部厚さに対応する間隔で並列的に設けられ、この剛性キャップの開口部から挿入した前記柄部の頭部を前記係止突部により係止できるようにした構成を含む。
【００１２】
さらに、本発明のジェル状歯磨き剤付き歯ブラシは、装着された前記剛性キャップを含む前記柄部の部分を樹脂フィルムにより封止してなる構成を含む。
【発明の効果】
【００１３】
本発明のジェル状歯磨き剤付き歯ブラシは、歯ブラシ本体のブラシ部が剛性キャップにより包囲されていると共に、この歯ブラシ本体の周囲がバリア性フィルムの包袋で密封包装されているので、前記ブラシ部に塗布されたジェル状歯磨き剤については、常に塗布時の適量のジェル状歯磨き剤がブラシ部上に保持される。
【００１４】
しかも剛性キャップが前記ブラシ部に接触しない状態で装着されるので、外部から変形力が働いても、前記ブラシ部が変形したり、塗布したジェル状歯磨き剤がその流動性により前記ブラシ部から移動してしまうこともない。
【００１５】
また、歯ブラシ本体の全体が密封包装されていることにより、ブラシ部に塗布された歯磨き剤は、密封状態で維持されるので、ジェル状歯磨き剤が乾燥したり、変質化するのが防止される。
【００１６】
本発明において、剛性キャップを装着したブラシ部を含む部分が樹脂フィルムにより封止されることにより、前記包袋内で剛性キャップが歯ブラシ本体の柄部から脱離したり、前記ブラシ部に塗布した歯磨き剤が乾燥したり、変質化するのをさらに防止できる。
【００１７】
また、剛性キャップの内部に、前記歯ブラシ本体における柄部の頭部の厚さ間隔で複数の係止突部を設けることにより、剛性キャップ内に挿入した歯ブラシ本体のブラシ部が剛性キャップと接触しない状態を確保することができる。
【発明を実施するための最良の形態】
【００１８】
本発明に係るジェル状歯磨き剤付き歯ブラシの最良の実施の形態を図に基づいて説明する。
【００１９】
ジェル状歯磨き剤付き歯ブラシ１は、図１及び図２に示すように、歯ブラシ本体２と、歯ブラシ本体２の周囲を密封包装する包袋７とからなる。
【００２０】
歯ブラシ本体２は、柄部３と、柄部３の頭部３ａに柔軟質の毛４ａが植設されたブラシ部４とからなる。
【００２１】
ブラシ部４には所定量のジェル状歯磨き剤５が予め付着されている。この場合、ジェル状歯磨き剤５は、ブラシ部４の毛４ａの間に粘着して充填された状態となっている。したがって、ジェル状歯磨き剤５は、包袋７に外力が働いても、その流動性に基づいてブラシ部４から容易に離脱してしまうことがないので、ブラシ部４のジェル状歯磨き剤は付着量がそのまま保持される。ジェル状歯磨き剤５としては、クリーム状歯磨き剤である場合を含む。
【００２２】
ジェル状歯磨き剤５を付着したブラシ部４を伴う柄部３には、その頭部３ａを包囲するように剛性キャップ６が装着される。剛性キャップ６は、その開口部６ａに柄部３の頭部３ａを挿入するように操作される。
【００２３】
剛性キャップ６には、図３及び図４に示すように、その壁部の内面に複数の突条６ｂがそれぞれ対称位置に設けられている。上部又は下部の突条６ｂの各列は、柄部３の頭部３ａの厚みに対応した間隔でそれぞれ形成されている。このため、剛性キャップ６の開口部６ａに柄部３の頭部３ａを挿入すると、頭部３ａの部分が下部対又は上部対の各突条６ｂの間に嵌め入れた状態で係止される。これにより、剛性キャップ６が歯ブラシ本体２に装着できる。したがって、歯ブラシ本体２に対し剛性キャップ６は着脱自在である。
【００２４】
このように装着された剛性キャップ６では、その内面とブラシ部４との間に離間部６ｃが存在している。この離間部６ｃの存在により、ブラシ部４と剛性キャップ６とは当接することがないので、ブラシ部４は変形することがなく、しかも外部からの変形力がブラシ部４に及ぶこともない。このため、ジェル状歯磨き剤５はその流動性に基づいて剛性キャップ６の内面に付着したり、移動してしまうことはない。したがって、ジェル状歯磨き剤５は塗布された当初のままの状態でブラシ部４に保持される。
【００２５】
剛性キャップ６が装着された歯ブラシ本体２は、その全体がバリア性フィルムからなる包袋７により密封包装されている。包袋７の好適な形成材としては、例えばＯＰＰ／／ＶＭＣＰＰ等のアルミ蒸着樹脂ラミネートフィルムや、ＯＰＰ／／ＳＶＭＰＥＴ／／ＣＰＰ等のシリカ蒸着ラミネートフィルムを挙げることができる。
【００２６】
ブラシ部４に塗布されたジェル状歯磨き剤５は、包袋７により外部から遮断されている。この包袋７の遮断により、ジェル状歯磨き剤５が乾燥したり、変質化したりするのが防止される。７ａ、７ｂは封止端であり、バリア性フィルム７の重畳部分を相互に接着あるいは溶着することにより形成される。
【００２７】
図５には、歯ブラシ本体２についての他の形態を示した。すなわち、剛性キャップ６を装着した歯ブラシ本体２の部分を樹脂フィルム８により被覆した構成である。また樹脂フィルム８が剛性キャップ６が装着された歯ブラシ本体２の全体に被覆されていてもよい。樹脂フィルム８の被覆は、ポリプロピレンフィルム等をシュリンク加工によって行うことができる。８ａは樹脂フィルム８の縁部、８ｂは樹脂フィルム８の切離用の把持片である。縁部８ａは柄部３における頭部３ａの形成部付近に設けられ、把持片８ｂは縁部８ａから突出して形成されている。このため、把持片８ｂから破断することにより、樹脂フィルム８を歯ブラシ本体２から容易に除去できるので、歯ブラシとしての迅速な利用が可能である。
【００２８】
図６に示すように、樹脂フィルム８により被覆した歯ブラシ本体２を、前記したジェル状歯磨き剤付きブラシ１と同様に、さらに包袋７で密封した形態のジェル状歯磨き剤付き歯ブラシ１０として構成することができる。
【００２９】
ジェル状歯磨き剤付き歯ブラシ１の構成では、歯ブラシ本体２の柄部３に装着された剛性キャップ６は前記したように着脱自在であるため、包袋７の内部で歯ブラシ本体２から離脱してしまう可能性もある。しかし、ジェル状歯磨き剤付き歯ブラシ１０では、樹脂フィルム８が歯ブラシ本体２の部分に被覆状に設けられているので、剛性キャップ６が歯ブラシ本体２から離脱してしまうのを効果的に防止できる。
【００３０】
ジェル状歯磨き剤付き塗歯ブラシ１０では、包袋７に加えて、さらに樹脂フィルム８がブラシ部４に被覆されているので、ブラシ部４に塗布されたジェル状歯磨き剤５に対する密封効果をより高めることが可能となる。
【図面の簡単な説明】
【００３１】
【図１】本発明に係る実施の形態のジェル状歯磨き剤付き歯ブラシの断面平面図である。
【図２】本発明に係る実施の形態のジェル状歯磨き剤付き歯ブラシの部分断面正面図である。
【図３】本発明に係る実施の形態のジェル状歯磨き剤付き歯ブラシにおける歯ブラシ本体に剛性キャップを装着する状態を説明する断面斜視図である。
【図４】本発明に係る実施の形態のジェル状歯磨き剤付き歯ブラシの部分断面側面図である。
【図５】本発明に係る他の実施の形態のジェル状歯磨き剤付き歯ブラシの断面斜視図である。
【図６】本発明に係る他の実施の形態のジェル状歯磨き剤付き歯ブラシの部分断面正面図である。
【符号の説明】
【００３２】
１、１０ジェル状歯磨き剤付き歯ブラシ
２  歯ブラシ本体
３  柄部
３ａ  頭部
４  ブラシ部
４ａ  毛
５  ジェル状歯磨き剤
６  剛性キャップ
６ａ  開口部
６ｂ  突条
６ｃ  離間部
７  包袋
７ａ  封止縁
８  樹脂フィルム
８ａ  縁部
８ｂ  把持片
【図１】
2005118191.tif 000003
【図２】
2005118191.tif 000004
【図３】
2005118191.tif 000005
【図４】
2005118191.tif 000006
【図５】
2005118191.tif 000007
【図６】
2005118191.tif 000008